(57)【要約】【課題】チャージ装置の一部がシャッタ制御部よりも側方に突出したレイアウトであるため、カメラ本体の横寸法が大きくなり、一眼レフレックスカメラの小型化が難しい。【解決手段】シャッタ装置１８のシャッタ制御部１８ａは、支持板１８ｂの側方で、支持板に対して光軸Ｏの後方に側方に配置されている。また、チャージ装置の一部分１９−１はミラーボックス装置２０の側方でシャッタ制御部１８ａの前方に配置され、他の部分１９−２は支持板１８ｂを越えてシャッタ制御部の下方に配置され、チャージ装置１９は支持板１８ｂの光軸前方からシャッタ制御部の下方にかけて位置している。このレイアウトでは、シャッタ制御部１８ａの側方から大きく突出することなくチャージ装置１９を配置できる。【選択図】図１
2007127836.tif 000002
【特許請求の範囲】
【請求項１】
一眼レフレックスカメラにおいて、
撮像媒体と、
被写体光束の光軸に対し略垂直に移動して上記撮像媒体への露光を制御する一対のシャッタ羽根を持つとともに該一対のシャッタ羽根を挟持する支持板の側方で、かつ、該支持板に対し上記光軸後方に位置するシャッタ制御部を有して、前記撮像媒体の上記光軸前方に配置されたシャッタ装置と、
上記被写体光束を観察光学系に導くための光路と上記被写体光束を上記撮像媒体に導くための光路とを形成する反射ミラーを有して、上記シャッタ装置の上記光軸前方に配置されたミラーボックス装置と、
上記ミラーボックス装置の側方で、かつ、上記シャッタ制御部の前記光軸前方に配置された部分を有して、上記シャッタ装置のシャッタチャージを行なうシャッタチャージ装置と、
を備えることを特徴とする一眼レフレックスカメラ。
【請求項２】
一眼レフレックスカメラにおいて、
撮像媒体と、
被写体光束の光軸に対し略垂直に移動して上記撮像媒体への露光を制御する一対のシャッタ羽根を持つとともに該一対のシャッタ羽根を挟持する支持板の側方で、かつ、該支持板に対し上記光軸後方に位置するシャッタ制御部を有して、前記撮像媒体の上記光軸前方に配置されたシャッタ装置と、
上記被写体光束を観察光学系に導くための観察位置と上記被写体光束を上記撮像媒体に導くための退避位置とに回動可能な反射ミラーを有して、上記シャッタ装置の前記光軸前方に配置されたミラーボックス装置と、
上記ミラーボックス装置の側方で、かつ、上記シャッタ制御部の前記光軸前方に配置された部分を有して、上記シャッタ装置のシャッタチャージを行なうチャージ装置と、
を備えることを特徴とする一眼レフレックスカメラ。
【請求項３】
上記チャージ装置はモータを有し、該モータの駆動力により上記シャッタ装置のシャッタチャージを行なうことを特徴とする請求項２記載の一眼レフレックスカメラ。
【発明の詳細な説明】
【技術分野】
【０００１】
本発明は、フォーカルプレーンシャッタの内蔵された一眼レフレックスカメラに関する。
【背景技術】
【０００２】
一般的な一眼レフレックスカメラは、いわゆるフォーカルプレーンシャッタを内蔵しており、フォーカルプレーンシャッタでは、モータまたは人力の駆動力を先幕、後幕からなる一対のシャッタ羽根を有する機構に伝達してばね力にチャージし、マグネット（電磁石）の磁力のもとでシャッタ羽根をチャージ状態に保持している。そして、シャッタボタンが押されると、レリーズ信号が発生して、マグネットへの通電が所定のタイミングでそれぞれ遮断され、一対のシャッタ羽根がチャージ状態から開放されてばね力のもとでそれぞれ走行することにより、所定の露光が確保される。
【０００３】
従来の一眼レフレックスカメラの構成について、図４〜図６を参照しながらその概略を以下に述べる。なお、図４は一眼レフレックスカメラの上方からの各機構のレイアウトを示す横断面図、図５は一眼レフレックスカメラの分解斜視図、図６はチャージ装置の概略分解斜視図を示す。
図４に示すように、一眼レフレックスカメラ１０のカメラ本体１１の内部には、電気基板１２の被写体光束の光軸Ｏの前方にかけて、ＣＣＤなどの撮像媒体１４、ローパスフィルタ１６、シャッタ装置（フォーカルプレーンシャッタ）１８、ミラーボックス装置２０、前板２２がこの順序で配置され、前板のボディマウント２２ａを介してレンズユニット（図示しない）が着脱可能に装着されている。また、ミラーボックス装置の側方には、チャージ装置１９が配置されている。
【０００４】
図４に加えて図５、図６に示すように、シャッタ装置１８は、略ボックス形状のシャッタ制御部１８ａとシャッタ制御部を支持する支持板（シャッタ地板）１８ｂとを有し、シャッタ制御部は支持板に挟持された先幕、後幕からなる一対のシャッタ羽根１８ａ１と、マグネット（電磁石；図示しない）と、チャージばね（図示しない）とを持ち、シャッタ羽根は支持板に挟持されている。
また、チャージ装置１９は、モータ１９ａと減速ギア列を含む駆動力伝達機構１９ｂとを有し、モータの駆動力は駆動力伝達機構で減速されてシャッタ装置のシャッタ制御部１８ａに伝達されてチャージばねにチャージされる。
【０００５】
シャッタ装置のシャッタ制御部１８ａは、支持板１８ｂの側方で支持板に対して光軸の前方に配置されている。これに対して、チャージ装置１９は、ミラーボックス装置２０の側方で、シャッタ装置１８（具体的にはシャッタ制御部１８ａ）の前方から側方にかけて配置されるとともに、その一部分はシャッタ装置（具体的にはシャッタ制御部）の下方にも配置されている。
このように、シャッタ装置のシャッタ制御部１８ａ、および、チャージ装置１９は、いずれも、支持板１８ｂに対して光軸Ｏの前方に配置されている。
【０００６】
ここで、通常、シャッタ制御部１８ａは前板２２と干渉しないように横方向に配置されている。そして、チャージ装置１９がシャッタ制御部１８ａの前方、側方、下方に配置されて、そのモータ１９ａがシャッタ制御部の側方に置かれるため、チャージ装置はシャッタ制御部よりも側方に大きく突出して位置することになる。
つまり、光軸Ｏからシャッタ制御部１８ａの外延までの長さ（前板２２の外延までの長さに等しい）をＡとすれば、光軸Ｏからチャージ装置１９の外延までの長さＡ’は、Ａ＋ΔＡとなり、ΔＡだけシャッタ制御部よりも側方に突出している。
【０００７】
チャージ装置１９の構成は公知のものであり、その構成を簡単に述べると、図６に示すように、モータ１９ａの駆動力は、モータのピニオンギアａから減速ギア列ｂで減速されてチャージギアｃに伝達され、チャージギア上面のチャージカムｄのカム面ｄ１に、チャージレバーｅの接触ローラｅ１が接触されている。チャージレバーｅは、軸Ｏｅを回動中心として揺動可能とされ、モータ１９ａの駆動力によってチャージギアｃが一方向（図中Ｘ方向）に回転すると、軸Ｏｅの回りで図中のＹ方向に揺動して先端の押圧ローラｅ２がシャッタ制御部の被チャージレバーｆを押圧する。被チャージレバーｆが押圧されると、シャッタ制御部のチャージばね（図示しない）にモータの駆動力がチャージされる。
なお、モータのピニオンギアａ、減速ギア列ｂ、チャージギアｃ、チャージカムｄ、チャージレバーｅ、被チャージレバーｆから駆動力伝達機構１９ｂが構成される。
【０００８】
シャッタボタンが押されると、マグネットへの通電が所定のタイミングでそれぞれ遮断されて一対のシャッタ羽根１８ａ１が保持状態からそれぞれ開放され、チャージばねにチャージされたばね力によって一対のシャッタ羽根が順次走行して所定の露光が得られる。
【０００９】
このように、従来の一眼レフレックスカメラにおいては、シャッタ制御部は支持板の側方に配置され、チャージ装置は、ミラーボックス装置の側方でシャッタ制御部の側方、前方、下方にかけて配置されている。つまり、シャッタ装置のシャッタ制御部、および、チャージ装置は、支持板に対して光軸の前方にいずれも配置されて、チャージ装置の一部はシャッタ制御部よりも側方に突出したレイアウトとなっている。このようなレイアウトの一眼レフレックスカメラとして、たとえば、特開平５−１７３２４６号公報の一眼レフレックスカメラが挙げられる。
【特許文献１】特開平５−１７３２４６号公報
【発明の開示】
【発明が解決しようとする課題】
【００１０】
上記のように、従来の一眼レフレックスカメラにおいては、シャッタ装置のシャッタ制御部、および、チャージ装置は、支持板に対して光軸の前方にいずれも配置されて、チャージ装置の一部がシャッタ制御部よりも側方に突出したレイアウトとなっているため、カメラ本体の横寸法が大きくなり、一眼レフレックスカメラの小型化が難しい。
【課題を解決するための手段】
【００１１】
請求項１記載の本発明によれば、一眼レフレックスカメラにおいて、撮像媒体と；被写体光束の光軸に対し略垂直に移動して上記撮像媒体への露光を制御する一対のシャッタ羽根を持つとともに該一対のシャッタ羽根を挟持する支持板の側方で、かつ、該支持板に対し上記光軸後方に位置するシャッタ制御部を有して、前記撮像媒体の上記光軸前方に配置されたシャッタ装置と；上記被写体光束を観察光学系に導くための光路と上記被写体光束を上記撮像媒体に導くための光路とを形成する反射ミラーを有して、上記シャッタ装置の上記光軸前方に配置されたミラーボックス装置と；上記ミラーボックス装置の側方で、かつ、上記シャッタ制御部の前記光軸前方に配置された部分を有して、上記シャッタ装置のシャッタチャージを行なうシャッタチャージ装置とを備えることを特徴としている。
【００１２】
請求項２記載の本発明によれば、一眼レフレックスカメラにおいて、撮像媒体と；被写体光束の光軸に対し略垂直に移動して上記撮像媒体への露光を制御する一対のシャッタ羽根を持つとともに該一対のシャッタ羽根を挟持する支持板の側方で、かつ、該支持板に対し上記光軸後方に位置するシャッタ制御部を有して、前記撮像媒体の上記光軸前方に配置されたシャッタ装置と；上記被写体光束を観察光学系に導くための観察位置と上記被写体光束を上記撮像媒体に導くための退避位置とに回動可能な反射ミラーを有して、上記シャッタ装置の前記光軸前方に配置されたミラーボックス装置と；上記ミラーボックス装置の側方で、かつ、上記シャッタ制御部の前記光軸前方に配置された部分を有して、上記シャッタ装置のシャッタチャージを行なうチャージ装置とを備えることを特徴としている。
【００１３】
請求項３記載の本発明によれば、上記チャージ装置はモータを有し、該モータの駆動力により上記シャッタ装置のチャージを行なうことを特徴としている。
【発明の効果】
【００１４】
請求項１記載の本発明では、支持板の側方でかつ支持板に対して光軸後方にシャッタ制御部が配置され、チャージ装置はミラーボックス装置の側方でシャッタ制御部の光軸前方に配置された部分を有している。このレイアウトでは、シャッタ制御部、チャージ装置が支持板を挟んでその前後に分散して配置され、シャッタ制御部は、従来使用されていないスペースに位置し、チャージ装置はシャッタ制御部が従来配置されていたスペースに位置する。そのため、シャッタ制御部の側方から大きく突出することなく、チャージ装置が配置可能となり、カメラの設計の自由度が向上する。
【００１５】
請求項２記載の本発明では、ミラーボックス装置は回動可能な反射ミラーを有し、支持板の側方でかつ支持板に対して光軸後方にシャッタ制御部が配置され、チャージ装置はミラーボックス装置の側方でシャッタ制御部の光軸前方に配置された部分を有している。このレイアウトでは、シャッタ制御部、チャージ装置が支持板を挟んでその前後に分散して配置され、シャッタ制御部は、従来使用されていないスペースに位置し、チャージ装置はシャッタ制御部が従来配置されていたスペースに位置する。そのため、シャッタ制御部の側方から大きく突出することなく、チャージ装置が配置可能となり、カメラの設計の自由度が向上する。
【００１６】
請求項３記載の本発明では、チャージ装置はシャッタチャージのためのモータを有しているため、一定のシャッタチャージが迅速、容易に得られる。
【発明を実施するための最良の形態】
【００１７】
本発明では、支持板の側方でかつ支持板に対して光軸後方にシャッタ制御部が配置されている。
【実施例】
【００１８】
以下図面を参照しながら本発明の実施例を詳細に説明する。図１は本発明の実施例に係る一眼レフレックスカメラの上方からの各機構のレイアウトを示す横断面図、図２は一眼レフレックスカメラの分解斜視図、図３はチャージ装置の概略分解斜視図を示す。
なお、本発明の一眼レフレックスカメラは、図４〜図６に示す従来の一眼レフレックスカメラと比較して、その構成部材そのものは同一であり、そのレイアウトにおいて一部相違するにすぎないため、従来の一眼レフレックスカメラの構成部材と同一の構成部材については同一の参照符号を付して説明する。
【００１９】
図１に示すように、一眼レフレックスカメラ１のカメラ本体１１の内部には、電気基板１２の被写体光束の光軸Ｏの前方にかけて、ＣＣＤなどの撮像媒体１４、ローパスフィルタ１６、シャッタ装置（フォーカルプレーンシャッタ）１８、ミラーボックス装置２０、前板２２がこの順序で配置されるとともに、ミラーボックス装置の側方には、チャージ装置１９が配置され、前板のボディマウント２２ａを介してレンズユニット（図示しない）が着脱可能に装着されている。
【００２０】
シャッタ装置１８は、略ボックス形状のシャッタ制御部１８ａとシャッタ制御部を支持する支持板（シャッタ地板）１８ｂとを有し、シャッタ制御部１８ａは支持板に挟持された先幕、後幕からなる一対のシャッタ羽根１８ａ１と、マグネット（電磁石;図示しない）と、チャージばね（図示しない）とを持ち、シャッタ羽根は支持板に挟持されている。
また、チャージ装置１９は、モータ１９ａと減速ギア列を含む駆動力伝達機構１９ｂとを有し、モータの駆動力は駆動力伝達機構で減速されてシャッタ制御部１８ａに伝達されてチャージばねにチャージされる。
【００２１】
すなわち、シャッタ制御部１８ａは、支持板１８ｂの側方で、支持板に対して光軸後方に、つまり、シャッタ装置の支持板の側方に配置されている。また、チャージ装置の一部分１９−１はミラーボックス装置２０の側方でシャッタ制御部１８ａの前方に配置され、他の部分１９−２は支持板１８ｂを越えてシャッタ制御部の下方に配置されており、チャージ装置は支持板１８ｂの光軸前方からシャッタ制御部の下方にかけて位置している。
【００２２】
このように、シャッタ制御部１８ａが光軸後方でシャッタ装置の支持板１８ｂの側方に取付けられるとともに、チャージ装置１９が支持板の光軸前方からシャッタ制御部の下方にかけて配置され、シャッタ制御部、チャージ装置は、支持板に対して光軸の前後に分散して配置されている。
シャッタ制御部１８ａの配置される光軸後方の支持板１８ｂの側方は、図４に示すように、従来の構成では使用されていないスペースであるため、このスペースにシャッタ制御部を配置しても、配置のために新たなスペースを必要としない。また、チャージ装置１９は、シャッタ制御部１８ａが従来配置されていたミラーボックス装置２０の側方でシャッタ制御部１８ａの前方に、その一部１９−１がシャッタ制御部に代わって配置されるとともに、他の部分１９−２は支持板を越えてシャッタ制御部の下方に配置されている。
ここで、光軸Ｏからチャージ装置の外延までの長さをＢとすれば、チャージ装置のモータ１９ａはシャッタ制御部の側方でなくＢの範囲内に配置される。
このレイアウトでは、光軸Ｏからチャージ装置１９の外延までの長さＢは従来の構成における長さＡ’より明らか短くなり、従来におけるカメラ本体の外形を一点鎖線で示せば、ΔＢだけカメラ本体１１の横寸法が小さくなる（なお、図１、４において、チャージ装置１９の面積は同一に図示されている）。
【００２３】
本発明では、シャッタ制御部１８ａの側方から大きく突出することなくチャージ装置１９が配置可能となり、カメラの設計の自由度が向上する。また、カメラ本体１１の横寸法が小さくなるため、一眼レフレックスカメラ１を小型化できる。
【００２４】
なお、モータ１９ａの位置が従来と相違するが、チャージ装置１９の基本的な構成は従来と同じであり、チャージ装置の動力伝達機構１９ｂはモータのピニオンギアａ、減速ギア列ｂ、チャージギアｃ、チャージカムｄ、チャージレバーｅ、被チャージレバーｆからなる。そして、モータ１９ａの駆動力は、モータのピニオンギアａから減速ギア列ｂで減速されてチャージギアｃに伝達され、チャージギア上面のチャージカムｄのカム面ｄ１に、チャージレバーｅの接触ローラｅ１が接触しており、チャージレバーｅは、軸Ｏｅを回動中心として揺動可能とされ、モータ１９ａの駆動力によってチャージギアｃが一方向（図中Ｘ方向）に回転すると、軸Ｏｅの回りで水平方向にカメラの左右方向（図中Ｙ方向）に揺動して先端の押圧ローラｅ２がシャッタ制御部の被チャージレバーｆを押圧する。そして、被チャージレバーｆが押圧されると、シャッタ制御部のチャージばねにモータの駆動力がチャージされ、シャッタボタンが押されると、マグネットへの通電が所定のタイミングでそれぞれ遮断されて一対のシャッタ羽根が保持状態からそれぞれ開放され、チャージばねにチャージされたばね力によって一対のシャッタ羽根が順次走行して、所定の露光が得られる。
【００２５】
ミラーボックス装置２０は、シャッタ装置１８の光軸前方に配置された反射ミラー２０ａを有しており、反射ミラーによって、被写体光束を反射させて上方のプリズムなどの観察光学系に導く光路(観察光路)と、被写体光束を透過させて背後（光軸後方）の撮像素子１４に導く光路（撮像光路）とを形成できる。
反射ミラー２０ａとして、ハーフミラー、または回動可能な反射ミラーが使用でき、回動可能な反射ミラーであれば、反射ミラーは、被写体光束を観察光学系に導いて観察光路を形成する観察位置と、観察位置から上方に跳ね上げられて被写体光束を撮像素子１４に導いて撮像光路を形成する退避位置との間を回動可能にミラーボックス装置２０内に配置される。
【００２６】
上記のように、本発明のレイアウトでは、シャッタ制御部の側方から大きく突出することなく、チャージ装置が配置可能となり、カメラ本体の横寸法が小さくなるため、一眼レフレックスカメラを小型化できる。
【産業上の利用可能性】
【００２７】
本発明は、デジタルカメラ、デジタルビデオカメラなどの一眼レフレックスカメラに広範囲に応用できる。
【図面の簡単な説明】
【００２８】
【図１】本発明の一実施例に係る一眼レフレックスカメラの上方からの各機構のレイアウトを示す横断面図である。
【図２】本発明の一眼レフレックスカメラの分解斜視図を示す。
【図３】本発明におけるシャッタのチャージ装置の概略分解斜視図を示す。
【図４】従来の一眼レフレックスカメラの上方からの各機構のレイアウトを示す横断面図見たレイアウトを示す。
【図５】従来の一眼レフレックスカメラの分解斜視図を示す。
【図６】従来におけるシャッタのチャージ装置の概略分解斜視図を示す。
【符号の説明】
【００２９】
１        一眼レフレックスカメラ
１１      カメラ本体
１２      電気基板
１４      撮像媒体
１６      ローパスフィルタ
１８      シャッタ装置
１８ａ    シャッタ制御部
１８ａ１  シャッタ羽根
１８ｂ    支持板（シャッタ地板）
１９      チャージ装置
１９ａ    モータ
１９ｂ    動力伝達機構
２０      ミラーボックス装置
２０ａ    反射ミラー
２２      前板
Ｏ        被写体光束の光軸
【図１】
2007127836.tif 000003
【図２】
2007127836.tif 000004
【図３】
2007127836.tif 000005
【図４】
2007127836.tif 000006
【図５】
2007127836.tif 000007
【図６】
2007127836.tif 000008